(57)【特許請求の範囲】
【請求項１】
骨接合用プレートの厚さよりも極く僅かに大きい溝幅を有して骨接合用プレートを保持するプレート保持溝、および、このプレート保持溝の両側にこのプレート保持溝に保持された骨接合用プレートの一端側が突入する第一の溝部と他端側が突入する第二の溝部を備えた治具本体と、
この治具本体の第一の溝部と第二の溝部にこれらの溝部の端から互いに対向する方向に挿入されて、骨接合用プレートの一端側の突入部分と他端側の突入部分を第一の溝部の側面と第二の溝部の側面に沿わせて折り曲げる第一の押し子と第二の押し子、
とから成ることを特徴とする骨接合用プレートの折り曲げ治具
【請求項２】
第一の溝部と第二の溝部の深さが異なり、それに対応して第一の押し子と第二の押し子の厚さが異なることを特徴とする請求項１に記載の折り曲げ治具。
【請求項３】
骨接合用プレートの突入部分を折り曲げる上記押し子の先端部から側面に至る部分が凸湾曲面に形成され、この凸湾曲面に対して押し子の側面が接面となる関係を有していることを特徴とする請求項１又は請求項２に記載の折り曲げ治具。
【請求項４】
上記治具本体の溝部の側面に、骨接合用プレートの折り曲げられた突入部分を収容する凹部が形成されていることを特徴とする請求項１ないし請求項３のいずれかに記載の折り曲げ治具。
【請求項５】
上記治具本体と上記押し子に、上記押し子が上記治具本体の溝部から浮かないように摺動自在に係合する係合部と被係合部が形成されていることを特徴とする請求項１ないし請求項４のいずれかに記載の折り曲げ治具。
【請求項６】
請求項１ないし請求項５のいずれかに記載された骨接合用プレートの折り曲げ治具を使用し、その治具本体のプレート保持溝に、生体内分解吸収性ポリマーなどの熱可塑性ポリマーからなる骨接合用プレートを保持させて治具本体の第一の溝部と第二の溝部に骨接合用プレートの一端側と他端側を突入させ、加熱して骨接合用プレートを軟化させた後、治具本体の第一の溝部と第二の溝部にこれらの溝部の端から第一の押し子と第二の押し子を互いに対向する方向に挿入して、骨接合用プレートの一端側の突入部分と他端側の突入部分を第一の溝部の側面と第二の溝部の側面に沿わせて折り曲げることを特徴とする骨接合用プレートの折り曲げ方法。
【発明の詳細な説明】
【技術分野】
【０００１】
本発明は、骨接合用プレートを所定の角度に簡単に折り曲げることができる骨接合用プレートの折り曲げ治具、及び、この折り曲げ治具を用いた骨接合用プレートの折り曲げ方法に関する。
【背景技術】
【０００２】
近年、生体内分解吸収性ポリマーからなる骨接合用プレートを用いて、骨の接合固定が行われるようになってきた。このような骨接合用プレートは、骨接合箇所の形状に合わせて曲げ加工する必要があり、例えば、上顎骨骨切り術後の骨接合固定の場合は、図９の（ａ）に例示するような骨接合用プレート４を、（ｂ）に示すように２箇所で直角に折り曲げて、段形状の骨接合用プレート４０に加工している。この曲げ加工された骨接合用プレート４０の段差部分４ａの寸法は、５ｍｍ程度が標準であり、また、折り曲げ角度は、９０°程度が標準であるが、７０°程度の折り曲げ角度で使用されることもある。
【０００３】
ところで、上記のような骨接合用プレートの曲げ加工は、これまでは一組のコッヘル（鉗子）を使用し、加熱により軟化した骨接合用プレートの折り曲げ部分の片側を片方のコッヘルで挟むと共に、反対側をもう片方のコッヘルで挟んで折り曲げることにより行われている。また、骨接合用プレートの片側をコッヘルで挟み、反対側を指でつまんで折り曲げることもある。
【０００４】
また、最近では、骨接合用プレートを加熱するヒータを内蔵したコッヘルタイプの曲げ加工具も提案されている（特許文献１）。
【０００５】
【特許文献１】特開２００７−１８５５３５号公報
【発明の開示】
【発明が解決しようとする課題】
【０００６】
しかしながら、従来から使用されているコッヘルで骨接合用プレートを曲げ加工する場合は、場合によっては、かなり熟練しなければ骨接合用プレートを所定の角度（例えば、９０°や７０°）に折り曲げることが難しく、特に、前述のように段差部分４ａの両側２箇所で直角に折り曲げる場合は、段差部分４ａの寸法が小さくなるほど、コッヘルで段差部分４ａを挟み辛くなるので、所定の角度に折り曲げる作業が一層困難になり、通常のコッヘルでは段差部分４ａを挟んで曲げ加工することが不可能になるという問題があった。しかも、コッヘルで骨接合用プレートを挟んで曲げ加工すると、コッヘルで挟んだプレートの部分に傷が入る恐れもあった。これらの問題は、生体内分解吸収性ポリマーなどの熱可塑性ポリマーからなる骨接合用プレートにおいて、特に懸念されるものである。
【０００７】
また、前記特許文献１のコッヘルタイプの曲げ加工具は、ヒータを内蔵しているため、別の加熱手段で骨接合用プレートを加熱軟化させる必要はないが、曲げ加工の機能については、上述した従来のコッヘルと全く同様の問題があった。
【０００８】
本発明は上記事情の下になされたもので、その解決しようとする課題は、骨接合用プレートを所定の角度に簡単に折り曲げることができ、しかも骨接合用プレートに傷が入る心配もない骨接合用プレートの折り曲げ治具と、この折り曲げ治具を用いた骨接合用プレートの折り曲げ方法を提供することにある。
【課題を解決するための手段】
【０００９】
上記課題を解決するため、本発明に係る骨接合用プレートの折り曲げ治具は、骨接合用プレートの厚さよりも極く僅かに大きい溝幅を有して骨接合用プレートを保持するプレート保持溝、および、このプレート保持溝の両側にこのプレート保持溝に保持された骨接合用プレートの一端側が突入する第一の溝部と他端側が突入する第二の溝部を備えた治具本体と、この治具本体の第一の溝部と第二の溝部にこれらの溝部の端から互いに対向する方向に挿入されて、骨接合用プレートの一端側の突入部分と他端側の突入部分を第一の溝部の側面と第二の溝部の側面に沿わせて折り曲げる第一の押し子と第二の押し子、とから成ることを特徴とするものである。
【００１０】
そして、本発明に係る骨接合用プレートの折り曲げ方法は、上記の折り曲げ治具を使用し、その治具本体のプレート保持溝に、生体内分解吸収性ポリマーなどの熱可塑性ポリマーからなる骨接合用プレートを保持させて治具本体の第一の溝部と第二の溝部に骨接合用プレートの一端側と他端側を突入させ、加熱して骨接合用プレートを軟化させた後、治具本体の第一の溝部と第二の溝部にこれらの溝部の端から第一の押し子と第二の押し子を互いに対向する方向に挿入して、骨接合用プレートの一端側の突入部分と他端側の突入部分を第一の溝部の側面と第二の溝部の側面に沿わせて折り曲げることを特徴とするものである。
【００１１】
本発明の折り曲げ治具においては、第一の溝部と第二の溝部の深さが異なり、それに対応して第一の押し子と第二の押し子の厚さが異なる構成としてもよい。
【００１２】
また、本発明の折り曲げ治具においては、骨接合用プレートの厚さよりも極く僅かに大きい溝幅を有するプレート保持溝が、具体的には骨接合用プレートの厚さよりも０．００５〜０．５ｍｍ程度、好ましくは０．００５〜０．２ｍｍ程度大きい溝幅を有する保持溝であることが好ましく、更に、骨接合用プレートの突入部分を折り曲げる押し子の先端部から側面に至る部分が凸湾曲面に形成され、この凸湾曲面に対して押し子の側面が接面となる関係を有していることが好ましい。そして、治具本体の溝部の側面に、骨接合用プレートの折り曲げられた突入部分を収容する凹部が形成されているが好ましく、また、治具本体と押し子に、押し子が治具本体の溝部から浮かないように摺動自在に係合する係合部と被係合部が形成されていることも好ましい。
【発明の効果】
【００１３】
本発明に係る骨接合用プレートの折り曲げ治具は、骨接合用プレートの厚さよりも極く僅かに大きい溝幅を有して骨接合用プレートを保持するプレート保持溝、および、このプレート保持溝の両側にこのプレート保持溝に保持された骨接合用プレートの一端側が突入する第一の溝部と他端側が突入する第二の溝部を備えた治具本体と、この治具本体の第一の溝部と第二の溝部にこれらの溝部の端から互いに対向する方向に挿入されて、骨接合用プレートの一端側の突入部分と他端側の突入部分を第一の溝部の側面と第二の溝部の側面に沿わせて折り曲げる第一の押し子と第二の押し子、とから成るものであるから、本発明の折り曲げ方法のように、治具本体のプレート保持溝に、生体内分解吸収性ポリマーなどの熱可塑性ポリマーからなる骨接合用プレートを保持させて第一の溝部と第二の溝部に骨接合用プレートの一端側と他端側を突入させ、加熱して骨接合用プレートを軟化させた後、治具本体の第一の溝部と第二の溝部にこれらの溝部の端から第一の押し子と第二の押し子を互いに対向する方向に挿入することによって、熟練者でなくても、骨接合用プレートの一端側の突入部分と他端側の突入部分を第一の溝部の側面と第二の溝部の側面に沿わせて、プレート保持溝の両側２箇所で互いに反対方向に所定の角度に簡単且つ確実に折り曲げ、段形状の骨接合用プレートに曲げ加工することができる。
【００１４】
その場合、治具本体の第一の溝部と第二の溝部の深さが異なり、それに対応して第一の押し子と第二の押し子の厚さが異なっていると、図９の（ａ）に示すようなＬ形の骨接合用プレート４のストレートな一端側４ｂを浅い方の第一の溝部に突入させ、鉤形に曲がった他端側４ｃを深い方の第二の溝部に突入させて、第一と第二の押し子を互いに対向する方向に挿入することにより、図９の（ｂ）に示すようなＬ形で段形状の骨接合用プレート４０に曲げ加工することができる。
【００１５】
また、プレート保持溝が、骨接合用プレートの厚さよりも極く僅かに大きい溝幅を有する保持溝、具体的には骨接合用プレートの厚さよりも０．００５〜０．５ｍｍ程度、好ましくは０．００５〜０．２ｍｍ程度大きい溝幅を有する保持溝であるため、この保持溝に骨接合用プレートの保持すべき部分を差し挟むだけで、簡単且つ確実に骨接合用プレートを保持させることができる。そして、骨接合用プレートの突入部分を折り曲げる押し子の先端部から側面に至る部分が凸湾曲面に形成され、この凸湾曲面に対して押し子の側面が接面となる関係を有していると、押し子を溝部に挿入したとき、凸湾曲面によって骨接合用プレートの溝部への突入部分をスムーズに折り曲げることができ、折り曲げた突入部分に傷が入ることもなく、凸湾曲面と接面の関係にある押し子の側面で、折り曲げた突入部分をスプリングバックしないように押さえて形状を固定することができる。
【００１６】
また、骨接合用プレートの折り曲げられた突入部分が溝部の側面に沿って押し子の挿入、進行の障害になる程度に溝部の側面から内側に突出している場合は、押し子の押圧力が骨接合用プレートの折り曲げ箇所に集中的に作用するため、折り曲げ箇所に破損や変形を生じる恐れがあるが、治具本体の溝部の側面に骨接合用プレートの折り曲げられた突入部分を収容する凹部が形成されていると、押し子の押圧力が骨接合用プレートの折り曲げ箇所に集中的に作用しないので、折り曲げ箇所に損傷や変形を生じる恐れはなくなる。
【００１７】
更に、治具本体と押し子に、押し子が治具本体の溝部から浮上しないように摺動自在に係合する係合部と被係合部が形成されていると、押し子を溝部に挿入する際に押し子が溝部から浮上することがないので、押し子によって骨接合用プレートの溝部への突入部分を溝部の側面に確実に沿わせて折り曲げることができる。
【発明を実施するための最良の形態】
【００１８】
以下、図面を参照して本発明の具体的な実施形態を詳述する。
【００１９】
図１は本発明の一実施形態に係る骨接合用プレートの折り曲げ治具の分解斜視図、図２は同折り曲げ治具の分解平面図、図３は骨接合用プレートを保持させると共に押し子の先端部を治具本体の溝部に挿入したところを示す同折り曲げ治具の平面図、図４は押し子を治具本体の溝部の中間部まで挿入して骨接合用プレートを折り曲げている途中の状態を示す同折り曲げ治具の平面図、図５は押し子を治具本体の溝部に挿入し終えて骨接合用プレートを折り曲げたところを示す同折り曲げ治具の平面図、図６は図３のＡ−Ａ線断面図である。
【００２０】
この骨接合用プレートの折り曲げ治具は、治具本体１と２つの押し子２，３とからなるものであって、治具本体１の中央部には、図９の（ａ）に示すＬ形の骨接合用プレート４を保持するプレート保持部１ａが形成されており、このプレート保持部１ａの両側には第一の溝部１ｂと第二の溝部１ｃが互いに平行に形成されている。
【００２１】
このプレート保持部１ａは、骨接合用プレート４の厚さよりも極く僅かに大きい溝幅を有する保持溝（以下、プレート保持溝１ａと記す）、具体的には骨接合用プレート４の厚さよりも０．００５〜０．５ｍｍ程度、好ましくは０．００５〜０．２ｍｍ程度大きい溝幅を有する保持溝であり、骨接合用プレート４の保持すべき中間部分を差し挟むだけで、簡単に骨接合用プレート４を保持できるようになっている。上顎骨骨切り術後の骨接合固定に用いられる骨接合用プレート４は、約１ｍｍの厚さを有するものであるから、上記の溝幅拡大寸法を考慮すると、プレート保持溝１ａの具体的な溝幅は、１．５ｍｍ程度、好ましくは１．２ｍｍ程度に設定すべきである。この実施形態の折り曲げ治具は、骨接合用プレート４を２箇所で９０°の角度に折り曲げることができるように、プレート保持溝１ａを溝部１ｂ，１ｃに対して直角に形成しているが、骨接合用プレート４を２箇所で７０°の角度に折り曲げる必要がある場合には、プレート保持溝１ａを溝部１ｂ，１ｃに対して７０°の角度に形成すればよい。尚、本実施形態では、骨接合用プレート４を９０°や７０°の角度で折り曲げているが、折り曲げ角度は９０°や７０°に限定されるものではなく、４５°〜１２０°の範囲で適宜選択することができ、その場合は、プレート保持溝１ａの角度を４５°〜１２０°の範囲で適宜調整して形成すればよい。
【００２２】
図３，図６に示すように、治具本体１の第一の溝部１ｂには、プレート保持溝１ａに保持されたＬ形の骨接合用プレート４のストレートな一端側４ｂが突入し、第二の溝部２１ｃには、骨接合用プレート４の鉤形に曲がった他端側４ｃが突入するようになっている。第一の溝部１ｂと第二の溝部１ｃは、溝幅も深さも異なっており、第一の溝部１ｂの溝幅および深さは、骨接合用プレート４のストレートな一端側４ｂの突出寸法および上下寸法と実質的に同一（僅かに大きい）に設定され、第二の溝部１ｃの溝幅および深さは、骨接合用プレート４の鉤形に曲がった他端側４ｃの突出寸法および上下寸法と実質的に同一（僅かに大きい）に設定されている。従って、骨接合用プレート４の中間部４ａをプレート保持溝１ａに差し挟んで保持させると、骨接合用プレート４のストレートな一端側４ｂと鉤形に曲がった他端側４ｃが第一と第二の溝部１ｂ，１ｃにすっぽりと嵌まり込んで、骨接合用プレート４がガタツキなくセットされるようになっており、その結果、所定の位置、角度で正確に折り曲げることができるようになっている。
【００２３】
第一の押し子２と第二の押し子３は、図４，図５に示すように、治具本体１の第一の溝部１ｂと第二の溝部１ｃに互いに対向する方向に挿入される角棒体であって、第一の溝部１ｂと第二の溝部１ｃに突入した骨接合用プレート４のストレートな一端側４ｂと鉤形に曲がった他端側４ｃを、これら溝部１ｂ，１ｃの側面１ｄ，１ｅに沿わせて折り曲げるものである。従って、第一の押し子２の幅および厚さは、第一の溝部１ｂの溝幅および深さと実質的に同一（僅かに小さい）に設定され、第二の押し子３の幅および厚さは、第二の溝部１ｃの溝幅および深さと実質的に同一（僅かに小さい）に設定されている。
【００２４】
第一の押し子２と第二の押し子３は、いずれも骨接合用プレート４を折り曲げる先端部から側面に至る部分が凸湾曲面２ａ，３ａに形成され、この凸湾曲面２ａ，３ａに対して押し子２，３の骨接合用プレートを折り曲げる側の側面２ｂ，３ｂが接面となる関係を有するように連続している。そのため、この凸湾曲面２ａ，３ａによって、第一と第二の溝部１ｂ，１ｃに突入した骨接合用プレート４の一端側４ｂと他端側４ｃをスムーズに折り曲げることができ、骨接合用プレート４の一端側４ｂや他端側４ｃに傷が入ることもなく、この凸湾曲面２ａ，３ａと接面の関係を有して連続する側面２ｂ，３ｂよって、折り曲げた骨接合用プレート４の一端側４ｂと他端側４ｃをスプリングバックしないように押さえて形状を固定できるようになっている。
【００２５】
また、第一の溝部１ｂの側面１ｄ（プレート保持溝１ａが形成されている側の側面）には、骨接合用プレート４の折り曲げられた一端側４ｂを収容する、奥行き寸法が骨接合用プレートの厚さと実質的に同一の凹部１ｆが形成されており、同様に、第二の溝部１ｃの側面１ｅ（プレート保持溝１ａが形成されている側の側面）には、骨接合用プレート４の折り曲げられた他端側４ｃを収容する、奥行き寸法が骨接合用プレートの厚さと実質的に同一の凹部１ｇが形成されている。従って、骨接合用プレート４の折り曲げられた一端側４ｂおよび他端側４ｃが第一および第二の溝部１ｂ，１ｃの側面１ｄ，１ｅの内側へ出ないので、押し子２，３の押圧力が骨接合用プレート４の折り曲げ箇所に集中的に作用しなくなり、折り曲げ箇所に損傷や変形が生じるのを防止できるようになっている。
【００２６】
更に、上記の凹部１ｆ，１ｇとプレート保持溝１ａとのコーナーには、図２，図３に示すようにアールＲを形成し、このアールＲによって、骨接合用プレート４の折り曲げ箇所の折損を防止できるようにすることが好ましい。
【００２７】
治具本体１や押し子２，３の材質については特に限定されないが、蒸気滅菌温度（１２１℃）に耐える耐熱性を有する滑性の良好なＰＥＥＫ（ポリエーテルエーテルケトン）などのスーパーエンジニアリングプラスチックが好ましく使用され、金属なども使用可能である。
【００２８】
本発明の骨接合用プレートの折り曲げ方法は、以上のような構成の本発明の折り曲げ治具を用いて、図３に示すように、治具本体１のプレート保持溝１ａに骨接合用プレート４を差し挟んで保持させ、骨接合用プレート４の一端側４ｂと他端側４ｃを第一と第二の溝部１ｂ，１ｃに突入させる。そして、第一と第二の押し子２，３の先端部分を、治具本体１の第一と第二の溝部１ｂ，１ｃに互いに反対側から対向する方向に挿入する。骨接合用プレート４としては、ポリ乳酸その他の熱可塑性の生体内分解吸収性ポリマーからなるプレート、該生体内分解吸収性ポリマーに生体活性なバイオセラミックス粉体を混合したものからなるプレート、更にこれらの材料を圧縮し分子鎖や結晶を配向させたプレートなどが使用される。
【００２９】
次いで、上記のように骨接合用プレート４と押し子２，３をセットした治具本体１を、７０℃より若干低い温度の温水又は生理食塩水に数十秒漬けて骨接合用プレート４を軟化させた後、直ちに第一と第二の押し子２，３を図４，図５に示すように摺動させて第一と第二の溝部１ｂ，１ｃに完全に挿入する。このように第一と第二の押し子２，３を挿入すると、その凸湾曲面２ａ，３ａによって骨接合用プレート４の一端側４ｂと他端側４ｃが互いに反対方向にスムーズに押されながら、溝部１ｂ，１ｃの側面１ｄ，１ｅの凹部１ｆ，１ｇに沿うように、プレート保持溝１ａの両端２箇所でアールを付けて直角に折り曲げられ、この折り曲げられた骨接合用プレート４の一端側４ｂと他端側４ｃがスプリングバックしないように押し子２，３の側面２ｂ，３ｂで押さえられたまま骨接合用プレート４が固化する。従って、押し子２，３を抜き取って骨接合用プレート４を治具本体１から取り出すと、図９の（ｂ）に示すようなＬ形で段形状に曲げ加工された骨接合用プレート４０が得られる。
【００３０】
尚、加熱の手段は、上記の温水や生理食塩水に限定されるものではなく、例えば温風を吹きつけるなど、種々の手段を採用できることは言うまでもない。
【００３１】
本発明の折り曲げ治具を用いた折り曲げ方法は、上記のように操作が簡単であるため、熟練者でなくても確実に骨接合用プレートを曲げ加工することができる。
【００３２】
上記の折り曲げ治具は、第一と第二の押し子２，３を挿入する際に、これらの押し子２，３が治具本体１の第一と第二の溝部１ｂ，１ｃから浮く可能性があるので、治具本体１と押し子２，３に、押し子２，３が治具本体１の溝部１ｂ，１ｃから浮かないように摺動自在に係合する係合部と被係合部を形成することが望ましい。図７はそのような係合部と被係合部を形成した折り曲げ治具の実施形態を示す断面図であって、第一と第二の押し子２，３の底面には、係合部として逆Ｔ字形の断面形状を有するアリ条２ｃ，３ｃが、また、第一と第二の溝部１ｂの１ｃ底には、被係合部として上記アリ条２ｃ，３ｃに対応する逆Ｔ字形の中空断面を備えたアリ溝１ｈ，１ｉが、それぞれ形成されており、これらのアリ条とアリ溝が摺動自在に係合して、第一と第二の押し子２，３が第一と第二の溝部１ｂ，１ｃから浮かないようになっている。尚、係合部と被係合部の形状は、押し子２，３が第一と第二の溝部１ｂ，１ｃから浮かないようにする機能を有するものであれば、上記の逆Ｔ字形に限定されることなく、適宜形状を変更し得る。
【００３３】
また、図８に示すように、第一と第二の押し子２０，３０の側面２０ｄ，３０ｄ（骨接合用プレートを折り曲げる側の側面と反対側の側面）を斜面に形成して係合部とすると共に、これに対応して、第一と第二の溝部１ｂ，１ｃの側面１ｊ，１ｋ（プレート保持溝のある側と反対側の側面）を斜面に形成して被係合部とし、これらの係合部と被係合部を摺動自在に係合させて、第一と第二の押し子２０，３０が第一と第二の溝部１ｂ，１ｃから浮かないように構成してもよい。なお、この場合も、係合部と被係合部の形状は、押し子２０，３０が第一と第二の溝部１ｂ，１ｃから浮かないようにする機能を有するものであれば、上記の形状に限定されることなく、適宜変更し得る。
【００３４】
以上、図９の（ａ）に示すＬ形の骨接合用プレート４を折り曲げる折り曲げ治具を例に挙げて、本発明の骨接合用プレートの折り曲げ治具と折り曲げ方法を説明したが、本発明は骨接合用プレートの形状に応じて種々の実施形態を採り得るものである。その若干例を以下に挙げる。
【００３５】
図１０〜図１２はいずれも、異なる形状の骨接合用プレートを保持させた他の実施形態に係る折り曲げ治具の治具本体の断面図であって、図１０の実施形態は、ストレート形の骨接合用プレート４１を折り曲げるために、治具本体１に、第一と第二の溝部１ｂ，１ｃを、骨接合用プレート４１の一端側４１ｂと他端側４１ｃの上下寸法（幅寸法）に合わせて浅く形成し、骨接合用プレート４１の中間部４１ａをプレート保持溝１ａで保持させるようにしたものである。
【００３６】
また、図１１の実施形態は、横Ｔ形の骨接合用プレート４２を折り曲げるために、治具本体１に、第一の溝部１ｂを骨接合用プレート４２の一端側４２ｂの高さ位置に合わせて中間の深さに形成すると共に、第二の溝部１ｃを骨接合用プレート４２の他端側４２ｃの上下寸法に合わせて深く形成し、骨接合用プレート４２の中間部４２ａをプレート保持溝１ａに保持させるようにしたものである。
【００３７】
更に、図１２の実施形態は、Ｘ形の骨接合用プレート４３を折り曲げるために、治具本体１に、第一と第二の溝部１ｂ，１ｃを、骨接合用プレート４３の一端側４３ｂと他端側４４ｃの上下寸法に合わせて深く形成し、骨接合用プレート４３の中間部４３ａをプレート保持溝１ａに保持させるようにしたものである。
【００３８】
このように、本発明の折り曲げ治具は、骨接合用プレートの形状、寸法に応じて第一と第二の溝部１ｂ，１ｃの形状、寸法を変更し、その溝部に合うように第一と第二の押し子２，３の形状、寸法を変更するだけで、種々の形状、寸法の骨接合用プレートの曲げ加工に対応できるものである。
【００３９】
また、以上の実施形態はいずれも、２つの溝部１ｂ，１ｃと２つの押し子２，３を有し、骨接合用プレートを２箇所で段形状に折り曲げるものであるが、本発明の折り曲げ治具は、溝部と押し子を１つだけとし、骨接合用プレートを１箇所で折り曲げるようにしても勿論よいものである。更に、上記の実施形態では、骨接合用プレートとほぼ同様の溝幅を有するプレート保持溝１ｃを形成し、骨接合用プレートをプレート保持溝１ｃに差し挟むことによって保持させるようにしたが、プレートを保持する手段としては、プレート保持溝１ｃ以外にも種々の手段が採用可能であり、例えば、溝幅の大きい溝を設けて骨接合用プレートを挿入したのち楔材を打ち込んで保持させたり、骨接合用プレートをバネ力で挟むクリップのような保持部材を設けて骨接合用プレートを保持させるようにしても勿論よい。
【図面の簡単な説明】
【００４０】
【図１】本発明の一実施形態に係る骨接合用プレートの折り曲げ治具の分解斜視図である。
【図２】同折り曲げ治具の分解平面図である。
【図３】骨接合用プレートを保持させると共に押し子の先端部を治具本体の溝部に挿入したところを示す同折り曲げ治具の平面図である。
【図４】押し子を治具本体の溝部の中間部まで挿入して骨接合用プレートを折り曲げている途中の状態を示す同折り曲げ治具の平面図である。
【図５】押し子を治具本体の溝部に挿入し終えて骨接合用プレートを折り曲げたところを示す同折り曲げ治具の平面図である。
【図６】図３のＡ−Ａ線断面図である。
【図７】本発明の他の実施形態に係る骨接合用プレートの折り曲げ治具の横断面図である。
【図８】本発明の更に他の実施形態に係る骨接合用プレートの折り曲げ治具の横断面図である。
【図９】（ａ）は上顎骨骨切り術後の骨接合固定に用いられる曲げ加工前の骨接合用プレートの一例を示す斜視図、（ｂ）は曲げ加工後の骨接合用プレートの一例を示す斜視図である。
【図１０】骨接合用プレートを保持させた本発明の更に他の実施形態に係る折り曲げ治具の治具本体の断面図である。
【図１１】骨接合用プレートを保持させた本発明の更に他の実施形態に係る折り曲げ治具の治具本体の断面図である。
【図１２】骨接合用プレートを保持させた本発明の更に他の実施形態に係る折り曲げ治具の治具本体の断面図である。
【符号の説明】
【００４１】
１    治具本体
１ａ  プレート保持部（プレート保持溝）
１ｂ  第一の溝部
１ｃ  第二の溝部
１ｄ，１ｅ  溝部の側面
１ｆ，１ｇ  凹部
１ｈ，１ｉ，１ｊ，１ｋ  被係合部（アリ溝，斜面）
２，２０  第一の押し子
２ａ  凸湾曲面
２ｂ  側面
２ｃ，２０ｃ  係合部（アリ条，斜面）
３，３０  第二の押し子
３ａ  凸湾曲面
３ｂ  側面
３ｃ，３０ｃ  係合部（アリ条，斜面）
４，４１，４２，４３  骨接合用プレート
４ａ  中間部（段差部）
４ｂ  一端側（突入部分）
４ｃ  他端側（突入部分）
４０  曲げ加工された骨接合用プレート
【図１】
0005128223.tif 000002
【図２】
0005128223.tif 000003
【図３】
0005128223.tif 000004
【図４】
0005128223.tif 000005
【図５】
0005128223.tif 000006
【図６】
0005128223.tif 000007
【図７】
0005128223.tif 000008
【図８】
0005128223.tif 000009
【図９】
0005128223.tif 000010
【図１０】
0005128223.tif 000011
【図１１】
0005128223.tif 000012
【図１２】
0005128223.tif 000013